(57)【要約】【課題】      例えばＷｅｂ上のＳＮＳにおいて、ユーザが音源データという素材をエフェクト処理による加工等の編集を簡易にできて音を使った豊かな自己表現を行える情報処理システム等を提供する。【解決手段】  端末１ａ〜１ｄが情報通信ネットワークであるインターネットを介してＷｅｂサーバー５に接続している。Ｗｅｂサーバー５は、負荷分散処理部３に含まれており、データ保存部としての機能を果たす。負荷分散処理部３は、演算処理部７と計測部９も有している。演算処理部７は、複数の演算部７ａ〜７ｆを備えている。計測部９は、演算部７ａ〜７ｆのそれぞれの処理能力を計測する。Ｗｅｂサーバー５にはＳＮＳ１１が接続している。ユーザは、Ｗｅｂサーバー５を利用して、保存された音源データを素材として組み合わせ或いはエフェクト処理などの信号（加工）処理によって、簡単に編集ができる。【選択図】  図１
2008009832.tif 000002
【特許請求の範囲】
【請求項１】
情報通信ネットワークに接続する情報処理システムであって、
前記情報通信ネットワークを介して音源データを保存可能なデータ保存部と、
それぞれが前記保存された音源データに対して所望の信号処理を行うことが可能な複数の信号処理部と、
前記複数の信号処理部のそれぞれの処理能力を計測する計測部とを備え、
前記計測部は、計測結果に基づいて前記保存された前記音源データに対しての信号処理をいずれの信号処理部に行わせるかを決定する、情報処理システム。
【請求項２】
前記信号処理部は、デコード処理とエンコード処理との間において異なる種類の信号処理を連結して行うことを特徴とする、請求項１記載の情報処理システム。
【請求項３】
前記データ保存部は、それぞれが異なるデータ内容の複数の音源データをテンプレートによって保存しており、
前記信号処理には前記音源データに対するミキシングを含むエフェクト処理が含まれ、
ユーザは前記テンプレートを選択してミキシングを含むエフェクト処理を行う対象音源データを特定でき、
前記対象音源データの候補をユーザに提示する提示部を備えた、請求項１又は２記載の情報処理システム。
【請求項４】
情報処理方法であって、
データ保存部が情報通信ネットワークを介して音源データを保存可能であり、
複数の信号処理部のそれぞれが前記保存された音源データに対して所望の信号処理を行うことが可能であり、
計測部が、前記複数の信号処理部のそれぞれの処理能力を計測し、計測結果に基づいて前記保存された前記音源データに対しての信号処理をいずれの信号処理部に行わせるかを決定するステップを含む、情報処理方法。
【請求項５】
前記信号処理部は、デコード処理とエンコード処理との間において異なる種類の信号処理を連結して行うことを特徴とする、請求項４記載の情報処理方法。
【請求項６】
前記データ保存部は、それぞれが異なるデータ内容の複数の音源データをテンプレートによって保存しており、
前記信号処理には前記音源データに対するミキシングを含むエフェクト処理が含まれ、
ユーザは前記テンプレートを選択してミキシングを含むエフェクト処理を行う対象音源データを特定でき、
提示部が前記対象音源データの候補をユーザに提示するステップを含む、請求項４又は５記載の情報処理方法。
【請求項７】
請求項４から６のいずれかに記載の情報処理方法をコンピュータに実行させることが可能なプログラム。
【発明の詳細な説明】
【技術分野】
【０００１】
本発明は、情報処理システム、情報処理方法、及びその方法をコンピュータに実行させることが可能なプログラムに関し、特に負荷分散が可能な情報処理システム等に関する。
【背景技術】
【０００２】
音を加工等して編集する技術は複雑で高度な知識と技術が必要とされ、特定の限られた人々の間で行われていた。近年のインターネットの普及に伴い、編集されたものはウェブサーバーに公開用にそのまま保存され、ユーザがそれをダウンロードして聴くことも可能になっている。参考文献として、特許文献１を挙げる。
【０００３】
【特許文献１】特開２００４−４５７７６号公報
【発明の開示】
【発明が解決しようとする課題】
【０００４】
しかしながら、ユーザは、単に編集された音を聴くだけでは足りず、自ら加工等して編集することを希望することがあるが、そのようなユーザによる編集を可能にしたシステムは見当たらない。特に、最近はブログに加え、ソーシャルネットワーキングサイト（以下、ＳＮＳと記す。）と言ったコミュニティ型のサイトも広まっており、ユーザがそのようなサイトを通じて音を使った自己表現を行いたいという潜在的なニーズもあると思える。
【０００５】
ゆえに、本発明は、例えばＷｅｂ上のＳＮＳにおいて、ユーザが音源データという素材に対してミキシングを含むエフェクト処理による加工等の編集を簡易にできて音を使った豊かな自己表現を行える情報処理システム等を提供する。
【課題を解決するための手段】
【０００６】
請求項１に係る発明は、情報通信ネットワークに接続する情報処理システムであって、前記情報通信ネットワークを介して音源データを保存可能なデータ保存部と、それぞれが前記保存された音源データに対して所望の信号処理を行うことが可能な複数の信号処理部と、前記複数の信号処理部のそれぞれの処理能力を計測する計測部とを備え、前記計測部が、計測結果に基づいて前記保存された前記音源データに対しての信号処理をいずれの信号処理部に行わせるかを決定するものである。
【０００７】
これにより、インターネットのような情報通信ネットワークという環境においては、ユーザ数は膨大であることが想定されるとともに音源データについての信号処理にはノイズ処理などの音質を維持するための工夫も必要であるが、必要とされる様々な処理を分散していることから、処理の負荷を分散して軽減できる。
【０００８】
請求項２に係る発明は、請求項１において、前記信号処理部が、デコード処理とエンコード処理との間において異なる種類の信号処理を連結して行うことを特徴とするものである。
【０００９】
ここで、異なる種類の信号処理が個別に処理され、その信号処理の回数分だけデコード処理とエンコード処理が行われる場合に比べて、連結した分だけデコード処理とエンコード処理の回数が減らされて、信号処理部が行う信号処理の際の音の劣化を抑えることができる。また、連結した分だけのデコード処理とエンコード処理の回数が減らされる点で、この点でも信号処理の負荷が軽減される。異なる種類の信号処理の組み合わせの例としては、例えばＰＣ用フォーマットのデータに対して、エフェクト効果処理を施す場合と携帯電話用へのフォーマット変更処理との組み合わせが挙げられる。
【００１０】
請求項３に係る発明は、請求項１又は２において、前記データ保存部が、それぞれが異なるデータ内容の複数の音源データをテンプレートによって保存しており、前記信号処理には前記音源データに対するミキシングを含むエフェクト処理が含まれ、ユーザは前記テンプレートを選択してミキシングを含むエフェクト処理を行う対象音源データを特定でき、前記対象音源データの候補をユーザに提示する提示部を備えたものである。
【００１１】
ここで、対象音源データの候補の提示の例として、例えば、ユーザ毎の検索履歴をベースにして、ユーザ全体の検索履歴から構築された嗜好データベースから、エフェクト処理を行おうとするユーザに適したものを示すようにすればよい。
【００１２】
請求項４に係る発明は、情報処理方法であって、データ保存部が情報通信ネットワークを介して音源データを保存可能であり、複数の信号処理部のそれぞれが前記保存された音源データに対して所望の信号処理を行うことが可能であり、計測部が、前記複数の信号処理部のそれぞれの処理能力を計測し、計測結果に基づいて前記保存された前記音源データに対しての信号処理をいずれの信号処理部に行わせるかを決定するステップを含ものである。
【００１３】
請求項５に係る発明は、請求項４において、前記信号処理部が、デコード処理とエンコード処理との間において異なる種類の信号処理を連結して行うことを特徴とするものである。
【００１４】
請求項６に係る発明は、請求項４又は５において、前記データ保存部が、それぞれが異なるデータ内容の複数の音源データをテンプレートによって保存しており、前記信号処理には前記音源データに対するミキシングを含むエフェクト処理が含まれ、ユーザが前記テンプレートを選択してミキシングを含むエフェクト処理を行う対象音源データを特定でき、提示部が前記対象音源データの候補をユーザに提示するステップを含むものである。
【００１５】
請求項７に係る発明は、請求項４から６のいずれかに記載の情報処理方法をコンピュータに実行させることが可能なプログラムである。
【発明の効果】
【００１６】
本発明によれば、インターネットのような情報通信ネットワークを介した環境において、保存された音源データに対する信号処理を負荷分散して行える結果、ユーザは、保存された音源データを素材として組み合わせ或いはエフェクト処理などの信号（加工）処理によって、簡単に編集ができる。特に、例えばＳＮＳと言ったコミュニティ型サイトにおいて、ユーザは、音に関して表現力を身に付けるための素材を得ることができ、それを使って豊かな自己表現を行える。さらに、広告という観点においても、例えば飲食業界についてのバナー広告などに編集された「ビールの栓抜きの音」などの趣向を凝らした音を貼り付けることにすれば、その広告効果を大きなものとできる。
【発明を実施するための最良の形態】
【００１７】
図１は、本発明の実施の形態に係る情報処理システムとしての負荷分散処理部の一例を説明するための概略ブロック図であって、利用態様の一例を説明するための図である。
【００１８】
端末１ａ〜１ｄが情報通信ネットワークであるインターネットを介してＷｅｂサーバー５に接続している。端末１ａ〜１ｄのそれぞれとしては、例えばパーソナルコンピュータ、携帯電話（ＰＨＳも含む）が該当する。Ｗｅｂサーバー５は、負荷分散処理部３に含まれており、データ保存部としての機能を果たす。負荷分散処理部３は、演算処理部７と計測部９も有している。演算処理部７は、複数の演算部７ａ〜７ｆを備えている。演算部７ａ〜７ｆは具体的にはＣＰＵである。計測部９は、具体的にはＣＰＵであり、演算部７ａ〜７ｆのそれぞれの処理能力を計測する。Ｗｅｂサーバー５にはＳＮＳ１１が接続している。ここで、ＳＮＳ１１は、前述したように、ソーシャルネットワーキングサイトを指す。一般に、ソーシャルネットワーキングサイトは、参加者が互いに友人を紹介しあって、新たな友人関係を広げることを目的に開設されたコミュニティ型のＷｅｂサイトであり、誰でも自由に参加できるサービス形態と「既存の参加者からの招待がないと参加できない」というシステムになっているサービス形態とがある。
【００１９】
以下、動作について説明する。端末１ａ〜１ｄのいずれかであるパーソナルコンピュータからアップロードされた音声ファイル或いは携帯電話から録音された音声ファイルが、Ｗｅｂサーバー５に収集されて保存される。音声ファイルは、後述する加工等の処理に用いられることが可能であり、音部品という位置付けである。そして、音声ファイルは、上記端末１ａ〜１ｄからのみ保存が可能ではなく、直接Ｗｅｂサーバーに保存する形も可能である。収集された音声ファイルがそのままの形式でパーソナルコンピュータ或いは携帯電話に対して配信できない場合、また収集された音声ファイルにエフェクト効果を施す加工等の編集が行われる場合には、演算部７ａ〜７ｆによりフォーマット変換処理或いは実際の加工等の編集処理が行われる。演算部７ａ〜７ｆが複数で準備されていることから、Ｗｅｂサーバー５としては、いずれの演算部７ａ〜７ｆを選択して処理をさせるべきかについての判断を必要とする。そのため、Ｗｅｂサーバー５は、計測部９にいずれの演算部７ａ〜７ｆを選択して処理させるべきかについて問い合わせる。計測部９は、演算部７ａ〜７ｆの負荷を常時監視しており、負荷の軽い演算部７ａ〜７ｆをＷｅｂサーバー５に知らせる。Ｗｅｂサーバー５は、音声ファイルを負荷の軽い演算部７ａ〜７ｆに転送する。転送を受けた演算部７ａ〜７ｆは、素材として用いる音声ファイルの加工等の処理、またフォーマット変換処理を行う。なお、音声ファイルの加工等は編集を行うことを希望するユーザが所望する処理により実現され、編集の自由度は高く、ユーザは豊かな自己表現を行える素材を手に入れることできる。そして、このように負荷分散処理が行われて得られた処理済音声ファイルは、Ｗｅｂサーバー５に保存された後であってもユーザによって簡単に編集されており、ＳＮＳ１１を介してパーソナルコンピュータ或いは携帯電話から参照できる形式でＷｅｂサーバー５に保存され、コミュニティ内で聴かれることにより評価等を受けることになる。
【００２０】
ここで、処理を行う演算部７ａ〜７ｆの動作をさらに説明する。演算部７ａ〜７ｆは、素材として用いる音声ファイルの加工等の処理、またフォーマット変換処理を行う際に、それぞれに対してデコード処理とエンコード処理を行う並列的な処理を行ってもよく、デコード処理とエンコード処理との間にフォーマット変更及び加工等を続けて行う連結する直列的な処理を行ってもよい。特に、直列的な処理が行われれば、処理負荷が軽減されるだけでなく、同じ音声ファイルに対してデコード処理とエンコード処理が繰り返されることが減り、音質の劣化が生じることが抑えられる。
【００２１】
なお、音声ファイルには、挿入効果音、ＢＧＭなども含まれ、これらのデータが組み合わせられて編集されてもよく、さらには語彙のようなコメントとして使えるデータや画像データと上記種々の音声ファイルとが組み合わせられて編集されてもよい。音声ファイルを含む編集に用いられるデータは、テンプレートにより保存されて、ユーザが選択できるようにしてもよい。
【００２２】
また、ＳＮＳ１１のようなＷｅｂ上での処理済音声ファイルの公開のほか、電子メールによりユーザ間で処理済音声ファイルが送受信されてもよく、伝言ボイス形式で利用されてもよい。
【００２３】
図２は、本発明の実施の形態に係る情報処理システムとしての負荷分散処理部の一例を説明するための概略ブロック図であって、利用態様の他の例を説明するための図である。
【００２４】
図１と異なる部分を中心に説明する。図１では、編集等の処理が行われた音声ファイルがＳＮＳ１１において利用される形態を示したが、ここでは、バナー広告１３としての利用態様を説明する。
【００２５】
ここでのバナー広告１３は、音声ファイルと連動が図れている。そして、音声ファイルは、負荷分散処理部３により処理された処理済み音声ファイルである。例えば、以下のような広告が可能になる。まず、端末１ａ〜１ｄとしてマイク等が用いられて飲食店の店主がユーザとして「今日のランチは和牛ステーキ。わーっ！すごい。すごい。とってもおいしいよ。」という音源データを録音し、その音声ファイルをＷｅｂサーバー５に保存する。ユーザは、負荷分散処理部３を利用し、この音声ファイルの編集を行う。具体的には、例えば、ユーザは、「今日のランチは和牛ステーキ。」の部分についてはオリジナルのデータを用い、「わーっ！すごい。すごい。とってもおいしいよ。」の部分についてはエコー変声或いは男女入れ替え変声にしたりして加工処理を行う。さらに、ユーザは、追加効果音やＢＧＭを加えて、さらに編集を行う。追加効果音としては、焼肉の焼ける音であれば「ジュージュー」という音、ビール栓抜きの音であれば「ポンっ」という音、コップにビールが注がれる音であれば「トクトクトク」という音などが挙げられる。
【００２６】
上記のような処理済み音声ファイルはバナー用の画像とマージ処理され、サウンドバナーとしてブログ或いはホームページに掲載されるべくホスティングされて、広告としての役割を果たすことになる。
【００２７】
なお、上記処理済みの音声ファイルが広告として利用される場としては、ブログやホームページにおいてバナー形式で行われるものに限らず、Ｗｅｂ上の音広告であれば、他の形式でもよい。
【００２８】
なお、上記図１及び図２に示した負荷分散処理部における演算部と計測部とを専用のものである必要はなく、演算部が計測部に切り替わり、計測部が演算部に切り替わってもよい。さらに、演算部或いは計測部としてユーザの端末１ａ〜１ｄ内のＣＰＵが用いられてもよい。
【００２９】
図３は、図１及び図２に示した負荷分散処理部と連動して或いは別個に独立に利用される嗜好解析部について説明するための図である。
【００３０】
嗜好解析部１４の機能を端的に説明すると、音部品としての音声ファイルがテンプレート化されており、嗜好解析部１４は、編集しようとするユーザが選択するテンプレートの傾向を解析し、その候補をユーザに提示する。このような機能の目的は、編集するユーザの編集負担の軽減を図り、作業時間を短縮化させることである。
【００３１】
以下に、具体的に説明する。図３を参照して、端末１ａ〜１ｄから所定のサイトにアクセスが行われ、ユーザは音源テンプレートの選択を試みる（ステップＳＴ１）。ユーザ毎履歴データベース部２１の履歴データベース２１ａ、２１ｂがあり、またユーザ全体の検索履歴から構築された嗜好データベース１９があるので、アクセスしたユーザの検索履歴情報が参照されつつ、嗜好データベースの情報のうちアクセスしたユーザの編集作業に適合する情報が検索される（ステップＳＴ２）。メタデータベース１７にはサウンドデータベース１５に保存されているサウンドファイルの属性（明るい音、暗い音など）が保存されている。ステップＳＴ３では、ステップＳＴ２において予測された嗜好をもとにサウンドデータの予測が行われるが、その際にサウンドデータベース１５で参照されるサウンドデータの属性データもメタデータベース１７で参照され、属性付のサウンドデータの参照と取得が行われる。ステップＳＴ４では、ユーザが、ステップＳＴ３においてサウンドデータベース１５から取得されて提示される音源リスト（サウンドデータ群）の中から、データの選択を行う。この選択データによる選択履歴はユーザ毎履歴データベース部２１の該当する履歴データベース２１ａ、２１ｂに保存される（ステップＳＴ４）。そして、ステップＳＴ５では、選択データに基づいてユーザの嗜好が解析され、その解析結果である選択状況が嗜好データベース１９に保存される。なお、メタデータベース１７とサウンドデータベース１５は、予め保存されるべきデータにより構築されたものでもよいが、データの追加、修正等の変更と削除が行われて再構築が行われてもよい。
【００３２】
このような嗜好解析処理が行われることによって、特に上記した負荷分散処理と組み合わせることによって、ユーザは、保存された音源データを素材として組み合わせ或いはエフェクト処理などの信号（加工）処理によって、簡単に編集ができる。そして、上記したＳＮＳ或いはバナー広告などの利用が促進される。
【図面の簡単な説明】
【００３３】
【図１】本発明の実施の形態に係る情報処理システムとしての負荷分散処理部の一例を説明するための概略ブロック図であって、利用態様の一例を説明するための図である。
【図２】本発明の実施の形態に係る情報処理システムとしての負荷分散処理部の一例を説明するための概略ブロック図であって、利用態様の他の例を説明するための図である。
【図３】図１及び図２に示した負荷分散処理部と連動して或いは別個に独立に利用される嗜好解析部について説明するための図である。
【符号の説明】
【００３４】
３          負荷分散処理部
５          Ｗｅｂサーバー
７ａ〜７ｆ  演算部
９          計測部
１４        嗜好解析部
【図１】
2008009832.tif 000003
【図２】
2008009832.tif 000004
【図３】
2008009832.tif 000005